(57)【要約】【課題】コンテンツの投稿を受け付けるサーバを利用するためのアカウントを有しないユーザであっても、当該コンテンツの投稿を受け付けるサーバに対してコンテンツを投稿することが可能な技術を提供する。【解決手段】端末（３０）からコンテンツの投稿先を示す投稿先情報の要求を受信し、投稿サーバから投稿先情報を取得し、端末（３０）に投稿先情報を出力する管理サーバ（１０）。【選択図】図１
2017228252.tif 000002
【特許請求の範囲】
【請求項１】
制御部を備えるサーバであって、
上記制御部は、
端末から、コンテンツの投稿先を示す投稿先情報の要求を受信し、
外部サーバから上記投稿先情報を取得し、
上記端末に、上記投稿先情報を出力する、
ことを特徴とするサーバ。
【請求項２】
当該サーバは、上記外部サーバによる認証に用いるアカウントを有する、
ことを特徴とする請求項１に記載のサーバ。
【請求項３】
上記制御部は、
ユーザを特定するためのユーザ特定情報または上記端末を特定するための端末特定情報を上記端末から取得し、
上記ユーザ特定情報または上記端末特定情報により、上記端末に対してアクセスを許可するための認証を行う、
ことを特徴とする請求項１または２に記載のサーバ。
【請求項４】
上記制御部は、
ユーザを特定するためのユーザ特定情報を取得し、
上記端末は、上記ユーザ特定情報に関連付けられている端末特定情報により特定されることを特徴とする請求項１〜３の何れか１項に記載のサーバ。
【請求項５】
上記制御部は、上記ユーザ特定情報と、上記投稿先情報とを関連付ける、
ことを特徴とする請求項３または４に記載のサーバ。
【請求項６】
上記制御部は、上記投稿先情報を要求し、当該要求に応じた投稿先情報を取得するまで、新たな投稿先情報は要求しない、
ことを特徴とする請求項１から５の何れか１項に記載のサーバ。
【請求項７】
端末から、コンテンツの投稿先を示す投稿先情報の要求を受信するステップと、
外部サーバから上記投稿先情報を取得するステップと、
上記端末に、上記投稿先情報を出力するステップと、
を含むことを特徴とする情報出力方法。
【請求項８】
第１のサーバと第２のサーバとを備える情報出力システムであって、
第１のサーバは第１の制御部を備え、
上記第１の制御部は、
端末から、コンテンツの投稿先を示す投稿先情報の要求を受信し、
上記第２のサーバから、上記投稿先情報を取得し、
上記端末に、上記投稿先情報を出力し、
上記第２のサーバは第２の制御部を備え、
上記第２の制御部は、
上記第１のサーバに対して、上記投稿先情報を出力する、
ことを特徴とする情報出力システム。
【請求項９】
端末と第１のサーバと第２のサーバとを備える情報出力システムであって、
端末は端末制御部を備え、
端末制御部は、
上記第１のサーバに対して、コンテンツの投稿先を示す投稿先情報を要求し、
上記第１のサーバから、上記投稿先情報を取得し、
第１のサーバは第１の制御部を備え、
上記第１の制御部は、
上記端末から、上記投稿先情報の要求を受信し、
上記第２のサーバから上記投稿先情報を取得し、
上記端末に、上記投稿先情報を出力し、
上記第２のサーバは第２の制御部を備え、
上記第２の制御部は、
上記第１のサーバに対して、上記投稿先情報を出力する、
ことを特徴とする情報出力システム。
【発明の詳細な説明】
【技術分野】
【０００１】
本発明は、コンテンツの投稿先を示す情報を出力するサーバ、当該情報を出力する情報出力方法、および当該情報を出力する情報出力システムに関する。
【背景技術】
【０００２】
ネットワークを介して動画などのコンテンツを送受信する技術が開示されている。
【０００３】
例えば、特許文献１には、ユーザ端末からのコンテンツの要求に対して、ユーザのサービスレベルに応じて、（１）高性能ストリーミングサーバを使用する、（２）中性能ストリーミングサーバを使用する、または（３）ストリーミングサーバを使用しない、を選択し、コンテンツを提供するコンテンツデリバリシステムが開示されている。
【先行技術文献】
【特許文献】
【０００４】
【特許文献１】特開２００３−１４３２２４号公報（２００３年５月１６日公開）
【発明の概要】
【発明が解決しようとする課題】
【０００５】
近年、ユーザが投稿したコンテンツを配信するサービス（以下、投稿配信サービスと称する）が普及している。投稿配信サービスを提供する場合、ユーザが投稿したコンテンツを配信するサーバ（以下、投稿配信サーバと称する）が必要となるが、投稿配信サーバを構築および運用するには多額の費用が発生してしまう。
【０００６】
そのため、無料で利用できる既存の投稿配信サーバを使用することによって投稿配信サービスを提供する形態が増えている。しかしながら、無料で利用できる既存の投稿配信サーバにコンテンツを投稿するには、当該投稿配信サーバを利用するためのアカウントを作成する必要がある。そのため、無料で利用できる既存の投稿配信サーバを使用する形態のサービスを提供する場合、当該投稿配信サービスを利用するためのアカウントに加えて、投稿配信サーバを利用するためのアカウントもユーザに作成させなければならないという問題がある。しかしながら、上述した特許文献１に記載のコンテンツデリバリシステムは、この問題を解決できる技術ではない。
【０００７】
本発明は、前記の問題点に鑑みてなされたものであり、その目的は、コンテンツの投稿を受け付けるサーバを利用するためのアカウントを有しないユーザであっても、当該コンテンツの投稿を受け付けるサーバに対してコンテンツを投稿することが可能な技術を提供することにある。
【課題を解決するための手段】
【０００８】
上記の課題を解決するために、本発明の一態様に係るサーバは、制御部を備えるサーバであって、上記制御部は、端末から、コンテンツの投稿先を示す投稿先情報の要求を受信し、外部サーバから上記投稿先情報を取得し、上記端末に、上記投稿先情報を出力する。
【０００９】
また、上記の課題を解決するために、本発明の一態様に係る情報出力方法は、端末から、コンテンツの投稿先を示す投稿先情報の要求を受信するステップと、外部サーバから上記投稿先情報を取得するステップと、上記端末に、上記投稿先情報を出力するステップと、を含む。
【００１０】
また、上記の課題を解決するために、本発明の一態様に係る情報出力システムは、第１のサーバと第２のサーバとを備える情報出力システムであって、第１のサーバは第１の制御部を備え、上記第１の制御部は、端末から、コンテンツの投稿先を示す投稿先情報の要求を受信し、上記第２のサーバから、上記投稿先情報を取得し、上記端末に、上記投稿先情報を出力し、上記第２のサーバは第２の制御部を備え、上記第２の制御部は、上記第１のサーバに対して、上記投稿先情報を出力する。
【００１１】
また、上記の課題を解決するために、本発明の一態様に係る情報出力システムは、端末と第１のサーバと第２のサーバとを備える情報出力システムであって、端末は端末制御部を備え、端末制御部は、上記第１のサーバに対して、コンテンツの投稿先を示す投稿先情報を要求し、上記第１のサーバから、上記投稿先情報を取得し、第１のサーバは第１の制御部を備え、上記第１の制御部は、上記端末から、上記投稿先情報の要求を受信し、上記第２のサーバから上記投稿先情報を取得し、上記端末に、上記投稿先情報を出力し、上記第２のサーバは第２の制御部を備え、上記第２の制御部は、上記第１のサーバに対して、上記投稿先情報を出力する。
【発明の効果】
【００１２】
本発明の一態様によれば、コンテンツの投稿を受け付けるサーバを利用するためのアカウントを有しないユーザであっても、当該コンテンツの投稿を受け付けるサーバに対してコンテンツを投稿することが可能である。
【図面の簡単な説明】
【００１３】
【図１】本発明の実施形態１に係るコンテンツ投稿システムの要部構成を示すブロック図である。
【図２】本発明の実施形態１に係るコンテンツ投稿システムを模式的に示す図である。
【図３】本発明の実施形態１に係るコンテンツ投稿システムにおける処理の流れを示すフローチャートである。
【図４】本発明の実施形態１における情報記憶部に格納される情報の例を示す表である。
【図５】管理サーバ、投稿サーバ、または端末として利用可能なコンピュータの構成を例示したハードウェアのブロック図である。
【発明を実施するための形態】
【００１４】
〔実施形態１〕
以下、本発明の実施の形態について、詳細に説明する。
【００１５】
（コンテンツ投稿システム１）
図２は、本発明の実施形態１に係るコンテンツ投稿システム１（情報出力システム）を模式的に示す図である。コンテンツ投稿システム１は、図２に示すように、管理サーバ１０（サーバ、第１のサーバ）、投稿サーバ２０（外部サーバ、第２のサーバ）、および端末３０によって構成されている。コンテンツ投稿システム１では、管理サーバ１０、投稿サーバ２０、および端末３０はそれぞれネットワーク２を介して通信可能である。
【００１６】
コンテンツ投稿システム１は、端末３０が投稿サーバ２０に対して、端末３０または端末３０を使用するユーザの情報を出力することなく、端末３０が投稿サーバ２０にコンテンツを投稿することができるシステムである。具体的には、コンテンツ投稿システム１では、コンテンツの投稿先を示す投稿先情報を、管理サーバ１０が投稿サーバ２０から取得する。そして、端末３０は、投稿先情報を管理サーバ１０から取得することにより、コンテンツを投稿サーバ２０に投稿することができる。
【００１７】
コンテンツ投稿システム１は、例えば、端末３０が所定のカテゴリに属するコンテンツを投稿サーバ２０に投稿するためのアプリケーションを利用して管理サーバ１０から投稿先情報を取得するシステムに用いることができる。所定のカテゴリに属するコンテンツとして、本明細書ではメイクをする動画を用いて説明するが、これに限定されない。
【００１８】
次に、管理サーバ１０、投稿サーバ２０、および端末３０の構成について、図１を用いて説明する。図１は、本発明の実施形態１に係るコンテンツ投稿システム１の要部構成を示すブロック図である。
【００１９】
（管理サーバ１０）
管理サーバ１０は、図１に示すように、管理サーバ通信部１２、情報記憶部１４、および管理サーバ制御部１６（制御部、第１の制御部）を備えている。
【００２０】
管理サーバ１０は、端末３０からの投稿先情報の要求を受け付けると、投稿サーバ２０に投稿先情報を要求し、投稿サーバ２０から投稿先情報を取得する。そして、管理サーバ１０は、取得した投稿先情報を端末３０に出力する。また、管理サーバ１０は、投稿先情報を要求したユーザに関連する情報と、当該ユーザが投稿するコンテンツに関連する情報とを関連付けて管理してもよい。管理サーバ１０が管理する情報については、参照する図面を替えて後述する。
【００２１】
管理サーバ通信部１２は、外部の装置と通信するための通信インターフェースである。
【００２２】
情報記憶部１４は、管理サーバ１０が管理する情報が格納されている記憶装置である。
【００２３】
管理サーバ制御部１６は、管理サーバ１０の各構成を統括的に制御する機能を備えている演算装置である。管理サーバ制御部１６の詳細について、以下に説明する。
【００２４】
（管理サーバ制御部１６）
管理サーバ制御部１６は、図１に示すように、投稿先要求受付部１６２、投稿先情報管理部１６４、および情報管理部１６６としても機能する。
【００２５】
投稿先要求受付部１６２は、端末３０からの投稿先情報の要求を受け付ける。
【００２６】
投稿先情報管理部１６４は、投稿サーバ２０に投稿先情報を要求し、投稿先情報を取得する。また、投稿先情報管理部１６４は、取得した投稿先情報を、端末３０に出力する。
【００２７】
情報管理部１６６は、投稿先情報を要求したユーザに関連する情報と、当該ユーザが投稿するコンテンツに関連する情報とを関連付けて管理する。
【００２８】
（投稿サーバ２０）
投稿サーバ２０は、図１に示すように、投稿サーバ通信部２２、コンテンツ記憶部２４、および投稿サーバ制御部２６（第２の制御部）を備えている。
【００２９】
投稿サーバ２０は、管理サーバ１０からの投稿先情報の要求を受け付けると、管理サーバ１０に投稿先情報を出力する。投稿サーバ２０は、投稿されたコンテンツが、投稿サーバ２０を利用するユーザのうち何れのユーザが投稿したコンテンツであるかを特定するため、投稿先情報を要求した端末に対して認証を要求する。そして、投稿サーバ２０は、認証できた出力先に対してアクセスを許可し、投稿先情報を出力する。本実施形態における管理サーバ１０は、投稿サーバ２０に予め認証されたサーバである。換言すると、管理サーバ１０は、投稿サーバによる認証に用いるアカウントを有している。そのため、管理サーバ１０は、取得した投稿先情報が示す投稿先に投稿されたコンテンツが、管理サーバ１０を介して投稿されたコンテンツであることを、投稿サーバ２０に特定させることができる。
【００３０】
投稿サーバ通信部２２は、外部の装置と通信するための通信インターフェースである。
【００３１】
コンテンツ記憶部２４は、投稿されたコンテンツが格納される記憶装置である。
【００３２】
投稿サーバ制御部２６は、投稿サーバ２０の各構成を統括的に制御する機能を備えている演算装置である。投稿サーバ制御部２６の詳細について、以下に説明する。
【００３３】
（投稿サーバ制御部２６）
投稿サーバ制御部２６は、図１に示すように、投稿先通知部２６２およびコンテンツ取得部２６４としても機能する。
【００３４】
投稿先通知部２６２は、管理サーバ１０からの投稿先情報の要求を受け付けると、投稿先情報を出力する。
【００３５】
コンテンツ取得部２６４は、取得したコンテンツをコンテンツ記憶部２４に格納する。
【００３６】
（端末３０）
端末３０は、図１に示すように、端末通信部３２、操作受付部３４、および端末制御部３６を備えている。
【００３７】
端末３０は、管理サーバ１０に対して投稿先情報を要求し、管理サーバ１０から投稿先情報を取得する。端末３０は、取得した投稿先情報が示す投稿先に、コンテンツを投稿する。なお、端末３０が投稿するコンテンツの例として、（１）端末３０の記憶部（不図示）に格納されているコンテンツ、（２）端末３０が備える撮像部（不図示）が撮像しているライブ映像、が挙げられる。また、端末３０は、コンテンツを表示する表示部（不図示）を備え、コンテンツを表示可能な構成であってもよい。端末３０の例として、スマートフォンが挙げられる。
【００３８】
端末通信部３２は、外部の装置と通信するための通信インターフェースである。
【００３９】
操作受付部３４は、ユーザの操作を受け付けるユーザインターフェースである。
【００４０】
端末制御部３６は、端末３０の各構成を統括的に制御する機能を備えている演算装置である。端末制御部３６の詳細について、以下に説明する。
【００４１】
（端末制御部３６）
端末制御部３６は、図１に示すように、投稿先要求部３６２およびコンテンツ出力部３６４を備えている。
【００４２】
投稿先要求部３６２は、管理サーバ１０に投稿先情報を要求する。
【００４３】
コンテンツ出力部３６４は、投稿先情報を取得し、当該投稿先情報が示す投稿先にコンテンツを出力する。
【００４４】
（コンテンツ投稿システム１における処理）
図３は、本発明の実施形態１に係るコンテンツ投稿システム１における処理の流れを示すフローチャートである。コンテンツ投稿システム１における処理（情報出力方法および情報取得方法）について、図３を用いて説明する。
【００４５】
（ステップＳ２）
端末３０の投稿先要求部３６２は、管理サーバ１０に対して、投稿先情報を要求する。具体的には、投稿先要求部３６２は、操作受付部３４を介して、ユーザがコンテンツを投稿する旨の操作を受け付けると、投稿先情報の要求として、管理サーバ１０に対して、ユーザを特定するための情報であるユーザＩＤ（ユーザ特定情報）を出力する。
【００４６】
（ステップＳ４）
管理サーバ１０の投稿先要求受付部１６２は、端末３０から、投稿先情報の要求を受け付ける。具体的には、投稿先要求受付部１６２は、端末３０から出力されたユーザＩＤを取得することにより、投稿先情報の要求を受け付ける。投稿先要求受付部１６２は、取得したユーザＩＤを投稿先情報管理部１６４に出力する（コンテンツの投稿先を示す投稿先情報の要求を受信するステップ）。
【００４７】
なお、投稿先要求受付部１６２は、取得したユーザＩＤが予め登録されたユーザＩＤであるか否かを判定する構成であってもよい。この場合、投稿先要求受付部１６２は、取得したユーザＩＤが予め登録されたユーザＩＤであると判定した場合に、取得したユーザＩＤを投稿先情報管理部１６４に出力する。換言すると、管理サーバ１０は、ユーザに対して認証を行い、認証できたユーザの端末３０に対してアクセスを許可し、端末３０からの投稿先情報の要求を受け付ける構成であってもよい。
【００４８】
（ステップＳ６）
投稿先情報管理部１６４は、ユーザＩＤを取得すると、投稿サーバ２０に対して投稿先情報を要求する。
【００４９】
（ステップＳ８）
投稿サーバ２０の投稿先通知部２６２は、管理サーバ１０から、投稿先情報の要求を受け付ける。
【００５０】
（ステップＳ１０）
投稿先通知部２６２は、投稿先情報の要求を受け付けると、管理サーバ１０に投稿先情報を出力する（投稿先情報を出力するステップ）。なお、投稿先通知部２６２は、投稿先情報に、コンテンツを特定するための情報であるコンテンツ情報を付与して、管理サーバ１０に出力する構成であってもよい。
【００５１】
（ステップＳ１２）
管理サーバ１０の投稿先情報管理部１６４は、投稿サーバ２０から、投稿先情報を取得する。
【００５２】
（ステップＳ１４）
投稿先情報管理部１６４は、ステップＳ６において取得したユーザＩＤに関連付けられている情報であって、端末３０を特定するための情報である端末ＩＤ（端末特定情報）を、情報記憶部１４から取得する。そして、投稿先情報管理部１６４は、取得した端末ＩＤが示す端末（端末３０）に、投稿先情報を出力する（投稿先情報を出力するステップ）。
【００５３】
（ステップＳ１６）
端末３０のコンテンツ出力部３６４は、管理サーバ１０から投稿先情報を取得する。
【００５４】
（ステップＳ１８）
コンテンツ出力部３６４は、取得した投稿先情報が示す投稿先に、コンテンツを出力する。
【００５５】
（ステップＳ２０）
投稿サーバ２０のコンテンツ取得部２６４は、端末３０からコンテンツを取得する。そして、コンテンツ取得部２６４は、投稿先であるコンテンツ記憶部２４にコンテンツを格納する。
【００５６】
なお、管理サーバ１０の投稿先情報管理部１６４は、上述したステップＳ６を実行しない構成であってもよい。この場合、投稿サーバ２０の投稿先通知部２６２は、ステップＳ８の処理を実行することなく、ステップＳ１０の処理を実行する。また、投稿先通知部２６２は、ステップＳ１０において、投稿先情報の要求を受け付けることなく、１または複数の投稿先を示す投稿先情報を管理サーバ１０に出力する。そして、管理サーバ１０の投稿先情報管理部１６４は、ステップＳ１２において、１または複数の投稿先を示す投稿先情報を取得する。
【００５７】
また、管理サーバ１０の投稿先情報管理部１６４が上述したステップＳ６を実行しない構成の場合、投稿サーバ２０の投稿先通知部２６２は、ステップＳ２が実行される前に、１または複数の投稿先を示す投稿先情報を管理サーバ１０に出力する構成であってもよい。この場合、投稿先情報管理部１６４は、ステップＳ４においてユーザＩＤを取得すると、ステップＳ１４において、予め取得した投稿先情報が示す１または複数の投稿先のうちの何れかの投稿先を示す投稿先情報を、端末３０に出力する。すなわち、この構成の場合、上述したステップＳ６〜ステップＳ１２の処理は実行されない。
【００５８】
また、上述したステップＳ２では、ユーザＩＤに加えて、端末ＩＤを取得する構成であってもよい。この場合、管理サーバ１０は、ユーザＩＤと端末ＩＤとを関連付ける必要はない。例えば、あるユーザがコンテンツを投稿するために使用する端末を複数台所有している場合であっても、管理サーバ１０は、何れの端末からも、１つのユーザＩＤによって端末のアクセスを許可し、投稿先情報の要求を受け付けることができる。
【００５９】
また、上述したステップＳ２では、ユーザＩＤに替えて、端末ＩＤを取得する構成であってもよい。この場合、管理サーバ１０は、ステップＳ１４において、取得した端末ＩＤが示す端末のアクセスを許可し、当該端末に投稿先情報を出力することができるので、この場合においても、ユーザＩＤと端末ＩＤとを関連付ける必要はない。また、この場合、管理サーバ１０は、ステップＳ４において説明したユーザＩＤによって認証する構成に替えて、端末ＩＤによって認証する構成であってもよい。
【００６０】
また、管理サーバ１０は、ステップＳ１２の処理が完了するまで、他の端末からの要求に対する投稿先情報の要求（ステップＳ６）の処理は実行しない構成が好ましい。換言すると、管理サーバ１０は、投稿サーバ２０に投稿先情報を要求し、当該要求に応じた投稿先情報を取得するまで、新たな投稿先情報は要求しない構成が好ましい。この場合、管理サーバ１０は、投稿サーバ２０に対して複数の投稿先情報を要求する状態にはならないため、投稿サーバ２０による認証に用いる管理サーバ１０のアカウントは１つだけでよい。
【００６１】
一方、管理サーバ１０は、投稿サーバ２０による認証に用いるアカウントを複数有し、投稿サーバ２０に対して複数の投稿先情報を要求する構成であってもよい。
【００６２】
（情報記憶部１４に格納される情報の例）
図４は、本発明の実施形態１における情報記憶部１４に格納される情報の例を示す表である。情報記憶部１４に格納される情報の例について、図４を用いて説明する。
【００６３】
図４に示す表では、項目「ユーザＩＤ」、項目「ユーザ名」、項目「端末ＩＤ」、項目「コンテンツＩＤ」、項目「タイトル名」、および項目「再生回数」が関連付けられている。
【００６４】
項目「ユーザＩＤ」には、上述したステップＳ４において、管理サーバ１０が取得したユーザＩＤが格納される。
【００６５】
項目「ユーザ名」には、予め登録されたユーザの名前であって、ユーザＩＤに関連付けられているユーザの名前が格納される。
【００６６】
項目「端末ＩＤ」には、予め登録された端末ＩＤであって、ユーザＩＤに関連付けられている端末ＩＤが格納される。なお、端末ＩＤは、投稿先情報の出力先を示す情報であればよく、例えば、端末のＩＰアドレスであってもよい。
【００６７】
項目「コンテンツＩＤ」には、ユーザが投稿したコンテンツを特定するための情報であるコンテンツＩＤが格納される。なお、コンテンツを特定する情報として、コンテンツＩＤに替えて、コンテンツの投稿先を示す投稿先情報であってもよい。
【００６８】
項目「タイトル名」には、コンテンツＩＤによって特定されるコンテンツのタイトル名が格納される。管理サーバ１０がコンテンツのタイトル名を取得する方法の例として、ステップＳ２において端末３０から投稿先情報の要求とともにコンテンツのタイトル名を示す情報が出力され、当該情報を取得する方法が挙げられる。
【００６９】
項目「再生回数」には、コンテンツＩＤによって特定されるコンテンツが再生された再生回数が格納される。管理サーバ１０がコンテンツの再生回数を取得する方法の例として、端末がコンテンツを閲覧するときに、当該コンテンツを閲覧する旨を示す情報を、管理サーバ１０が取得する方法が挙げられる。
【００７０】
管理サーバ１０は、図４に示すように、ユーザＩＤとコンテンツＩＤ（または投稿先情報）とを関連付けている。そのため、管理サーバ１０は、何れのユーザが何れのコンテンツを投稿したのかを管理することができる。
【００７１】
このように、本実施形態に係るコンテンツ投稿システム１では、管理サーバ１０は、端末３０から投稿先を示す投稿先情報の要求を受信し、投稿サーバ２０から投稿先情報を取得し、端末３０に投稿先情報を出力する。この構成により、管理サーバ１０は、投稿サーバ２０にコンテンツを投稿するためのアカウントを有しないユーザの端末３０に対して、投稿先情報を出力する。そのため、管理サーバ１０は、投稿サーバ２０を利用するためのアカウントを有しないユーザであっても、投稿サーバ２０に対してコンテンツを投稿することを可能にすることができる。
【００７２】
また、管理サーバ１０は、投稿サーバ２０による認証に必要な情報（アカウント、パスワードなど）を、ユーザに開示することなく、ユーザに対して投稿サーバ２０にコンテンツを投稿させることが可能である。
【００７３】
また、管理サーバ１０は、ユーザＩＤまたは端末ＩＤを端末３０から取得し、ユーザＩＤまたは端末ＩＤにより、当該端末ＩＤが示す端末３０に対してアクセスを許可するための認証を行う。そのため、管理サーバ１０は、予め登録していないユーザまたは端末３０からの投稿先情報の要求は受け付けず、予め登録しているユーザまたは端末３０に対してのみ、投稿先情報の要求を受け付け、投稿先情報を出力することができる。
【００７４】
また、本実施形態に係るコンテンツ投稿システム１では、管理サーバ１０は、ユーザを特定するためのユーザＩＤを取得し、端末３０は、ユーザＩＤに関連付けられている端末ＩＤにより特定される。そのため、管理サーバ１０は、ユーザＩＤを取得することにより、投稿先情報を出力する端末３０を特定することができる。
【００７５】
〔実施形態２〕
管理サーバ１０、投稿サーバ２０、および端末３０の制御ブロック（特に管理サーバ制御部１６、投稿サーバ制御部２６、および端末制御部３６）は、集積回路（ＩＣチップ）等に形成された論理回路（ハードウェア）によって実現してもよいし、ＣＰＵ（Central Processing Unit）を用いてソフトウェアによって実現してもよい。
【００７６】
後者の場合、管理サーバ１０、投稿サーバ２０、および端末３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔実施形態３〕
上記各実施形態では、１つの管理サーバ１０および１つの投稿サーバ２０を用いる例を説明したが、管理サーバ１０および投稿サーバ２０の有する各機能が、個別のサーバにて実現されていてもよい。そして、複数のサーバを適用する場合においては、各サーバは、同じ事業者によって管理されていてもよいし、異なる事業者によって管理されていてもよい。
【００７８】
〔実施形態４〕
管理サーバ１０、投稿サーバ２０、および端末３０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、管理サーバ１０、投稿サーバ２０、および端末３０のそれぞれを、図５に示すようなコンピュータ（電子計算機）を用いて構成することができる。
【００７９】
図５は、管理サーバ１０、投稿サーバ２０、または端末３０として利用可能なコンピュータ９１０の構成を例示したハードウェアのブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００８０】
補助記憶装置９１４には、コンピュータ９１０を管理サーバ１０、投稿サーバ２０、または端末３０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、管理サーバ１０、投稿サーバ２０、または端末３０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【００８１】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１      コンテンツ投稿システム
１０    管理サーバ（サーバ、第１のサーバ）
１６    管理サーバ制御部（制御部、第１の制御部）
１６２  投稿先要求受付部
１６４  投稿先情報管理部
１６６  情報管理部
２０    投稿サーバ（第２のサーバ）
２６    投稿サーバ制御部（第２の制御部）
２６２  投稿先通知部
２６４  コンテンツ取得部
３０    端末
３６    端末制御部
３６２  投稿先要求部
３６４  コンテンツ出力部
【図１】
2017228252.tif 000003
【図２】
2017228252.tif 000004
【図３】
2017228252.tif 000005
【図４】
2017228252.tif 000006
【図５】
2017228252.tif 000007